(57)【要約】  電磁波を伝送する導波管の送信ポート、検出ポートおよび参照ポートを備える３ポートプローブ１０からの測定信号から血糖値を測定する血糖値測定装置１００を提供する。検出ポート信号入力部２０はプローブから検出ポート信号を取得する。参照ポート信号入力部３０はプローブから参照ポート信号を取得する。補正部４０は検出ポート信号から参照ポート信号を差し引いた補正信号を生成する。複素ニューラルネットワーク６０は、補正信号とグルコース濃度の対を教師データとして用いて重みが学習されたものであり、生成された補正信号を入力データとして各層で重み付き和の非線形活性化関数による出力を計算することにより、グルコース濃度を出力データとして推定する。電磁波の導波管の送信ポートおよび検出ポートと、導波管の送信ポートから検出ポートまでの経路に人体の皮膚をはさむ部分とを備え、導波管の内部に誘電体材料が充填されたプローブを提供する。
2020179664.tif 000002
【特許請求の範囲】
【請求項１】
電磁波を伝送する導波管の送信ポート、検出ポートおよび参照ポートを備えるプローブからの測定信号から血糖値を測定する血糖値測定装置であって、
前記プローブから検出ポート信号を取得する検出ポート信号入力部と、
前記プローブから参照ポート信号を取得する参照ポート信号入力部と、
検出ポート信号と参照ポート信号の差分を計算することにより補正信号を生成する補正部と、
補正信号とグルコース濃度の対を教師データとして用いて重みが学習された複素ニューラルネットワークであって、生成された補正信号を入力データとして各層で重み付き和の非線形活性化関数による出力を計算することにより、グルコース濃度を出力データとして推定する複素ニューラルネットワークとを備えることを特徴とする血糖値測定装置。
【請求項２】
前記プローブの導波管の内部に誘電体材料が充填されていることを特徴とする請求項１に記載の血糖値測定装置。
【請求項３】
前記プローブの導波管の内部に充填された誘電体材料はテーパ構造を有することを特徴とする請求項２に記載の血糖値測定装置。
【請求項４】
電磁波の導波管の送信ポートおよび検出ポートと、
前記導波管の送信ポートから検出ポートまでの経路に人体の皮膚をはさむ部分とを備え、
前記導波管の内部に誘電体材料が充填されたことを特徴とするプローブ。
【請求項５】
前記誘電体材料はシリコンであることを特徴とする請求項４に記載のプローブ。
【請求項６】
参照ポートをさらに備えることを特徴とする請求項４または５に記載のプローブ。
【請求項７】
電磁波を伝送する導波管の送信ポート、検出ポートおよび参照ポートを備えるプローブからの測定信号から血糖値を測定する血糖値測定方法であって、
前記プローブから検出ポート信号を取得するステップと、
前記プローブから参照ポート信号を取得するステップと、
検出ポート信号と参照ポート信号の差分を計算することにより補正信号を生成するステップと、
補正信号とグルコース濃度の対を教師データとして用いて重みが学習された複素ニューラルネットワークを用いて、生成された補正信号を入力データとして各層で重み付き和の非線形活性化関数による出力を計算することにより、グルコース濃度を出力データとして推定するステップとを備えることを特徴とする血糖値測定方法。
【請求項８】
電磁波を伝送する導波管の送信ポート、検出ポートおよび参照ポートを備えるプローブからの測定信号から血糖値を測定するプログラムであって、
前記プローブから検出ポート信号を取得するステップと、
前記プローブから参照ポート信号を取得するステップと、
検出ポート信号と参照ポート信号の差分を計算することにより補正信号を生成するステップと、
補正信号とグルコース濃度の対を教師データとして用いて重みが学習された複素ニューラルネットワークを用いて、生成された補正信号を入力データとして各層で重み付き和の非線形活性化関数による出力を計算することにより、グルコース濃度を出力データとして推定するステップとをコンピュータに実行させることを特徴とするプログラム。
【発明の詳細な説明】
【技術分野】
【０００１】
本発明は、血糖値測定技術に関する。
【背景技術】
【０００２】
従来の侵襲型の血糖値測定方法では血液を人体から採取する必要があり、患者の負担が大きく、また感染リスクも高い。そのため、非侵襲の血糖値測定方法が望ましい。【０００３】
非侵襲の血糖値測定方法として、電磁波は人体の組織を透過できることから、グルコース濃度と誘電率の関係性に基づいて血糖値を測る手法がある。
【発明の概要】
【発明が解決しようとする課題】
【０００４】
人間の血糖値は非常に低いため、非侵襲型測定方法には非常に高い感度が要求される。【０００５】
人体の組織を透過する透過波を利用して血糖値を測るために、導波管をサンプルの両サイドに置き、電波の振幅と位相をデータとして取得する。我々の先行研究ではミリ波プローブを使い、複素ニューラルネットワークによって透過波の振幅と位相データを学習することによって実際的な血糖値範囲での測定精度を高めることができることを証明した[16],[17]。【０００６】
しかし、透過波には共振の影響でリップルがあり、また、グルコース濃度に対して透過波の振幅と位相の変化が単調ではない場合もあった。このようなデータの不安定性がグルコース濃度の推定精度の影響を与えるため、より適切なプローブを設計することが必要であった。【０００７】
本発明は係る状況においてなされたものであり、そのある態様の例示的な目的のひとつは、血糖値の測定精度を向上させる技術の提供にある。
【課題を解決するための手段】
【０００８】
本発明のある態様は、電磁波を伝送する導波管の送信ポート、検出ポートおよび参照ポートを備えるプローブからの測定信号から血糖値を測定する血糖値測定装置である。この装置は、前記プローブから検出ポート信号を取得する検出ポート信号入力部と、前記プローブから参照ポート信号を取得する参照ポート信号入力部と、検出ポート信号と参照ポート信号の差分を計算することにより補正信号を生成する補正部と、補正信号とグルコース濃度の対を教師データとして用いて重みが学習された複素ニューラルネットワークであって、生成された補正信号を入力データとして各層で重み付き和の非線形活性化関数による出力を計算することにより、グルコース濃度を出力データとして推定する複素ニューラルネットワークとを備える。【０００９】
本発明の別の態様は、プローブである。このプローブは、電磁波の導波管の送信ポートおよび検出ポートと、前記導波管の送信ポートから検出ポートまでの経路に人体の皮膚をはさむ部分とを備え、前記導波管の内部に誘電体材料が充填される。前記誘電体材料はシリコンであってもよい。このプローブは、参照ポートをさらに備えてもよい。【００１０】
なお、以上の構成要素の任意の組合せ、本発明の表現を装置、方法、システム、記録媒体、コンピュータプログラムなどの間で変換したものもまた、本発明の態様として有効である。
【発明の効果】
【００１１】
本発明によれば、血糖値の測定精度を向上させることができる。
を提供できる。
【図面の簡単な説明】
【００１２】
【図１】図１（ａ）は３ポートプローブの使用方法の概略図であり、図１（ｂ）はプローブの構造と外耳モデルを示す。
【図２】図２（ａ）、図２（ｂ）、図２（ｃ）は、それぞれ検出ポート信号の振幅、位相、アンラップされた位相を示す。
【図３】図３（ａ）、図３（ｂ）、図３（ｃ）は、それぞれ参照ポート信号の振幅、位相、アンラップされた位相を示す。
【図４】図４（ａ）、図４（ｂ）は、それぞれ検出ポート信号と参照ポート信号の振幅の差、アンラップされた位相の差を示す。
【図５】本発明の実施の形態で使用する複素ニューラルネットワークの構成を示す。
【図６】図５の複素ニューラルネットワークに与える教師信号を示す。
【図７】導波管に充填されるシリコンのテーパ構造を示す。
【図８】図８（ａ）、図８（ｂ）は、シリコンを充填していないプローブで測定された検出ポート信号の振幅の移動平均、アンラップされた位相を示す。
【図９】図９（ａ）、図９（ｂ）は、シリコンを充填したプローブで測定された検出ポート信号の振幅の移動平均、アンラップされた位相を示す。
【図１０】血糖値測定システムの構成図である。
【図１１】血糖値測定手順を示すフローチャートである。
【発明を実施するための形態】
【００１３】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１４】
１．  はじめに
糖尿病は人々の命を脅かす世界的な病気である。糖尿病患者にとって日々血糖値のコントロールが必要である。従来の測定方法では血液を採取する必要があり、患者に多大な負担をかけている。そのため、非侵襲の測定方法が望ましい。しかし、人間の血糖値は非常に低いため、非侵襲型測定方法は非常に高い感度が必要である。
【００１５】
電磁波は人間の組織を透過できることから、さまざまな手法が提案されている[1]。それらの手法はいずれもグルコース濃度と誘電率との関係性に基づいている[2]-[4]。これまでに、グルコースの水溶液を使ったいくつかの実験が報告されている[5]-[7]。最近の研究ではパッチアンテナを使って血糖値を測る手法を提案したグループがある[8],[9]。それらの結果は電磁波を使い血糖値を測る可能性を示した。
【００１６】
透過波を利用して血糖値を測るために、導波管はサンプルの両サイドに置き、電波の振幅と位相をデータとして取得する。先行研究は、電波の振幅と位相データにグルコース濃度の情報が含まれていることを証明した[10]-[14]。ミリ波を使って動物実験を行った研究グループもある[9],[15]。最新の研究では複素ニューラルネットワークを使い振幅と位相データを学習することによって実際的な血糖値範囲での測定精度を高めることができることを証明した[16],[17]。しかし、問題点は未だ全部解決しておらず、データの不安定を解消できる方法が必要である。本明細書で、我々はこの問題を解決すべく、新たなプローブ設計を提案する。
【００１７】
２．  提案手法
我々が提案するプローブの概念図と構造を図１（ａ）に示す。本節では、周波数の選択、組織モデルとプローブ設計を説明する。
【００１８】
２．  １  周波数の選択
高い周波数であるミリ波はグルコース濃度の変化に敏感であることは先行研究で示されている[18]。複素誘電率εｒ（ω，χ）はデバイ緩和式によって次のように表せる。
【数１】
2020179664.tif 000003
ここでωは角周波数、χは濃度、εｓｔａｔ（χ）とε∞（χ）は非常に低い周波数と高い周波数のときの誘電率、τ（χ）は緩和時間である。
【００１９】
周波数範囲は６０ＧＨｚから８０ＧＨｚが適切であると先行研究で示されている［１７］。本論文で使う周波数範囲は５５ＧＨｚから８５ＧＨｚとする。
【００２０】
２．２  組織モデル
【００２１】
我々は数値解析するために外耳や指間みずかきの組織モデルを構築した。図１（ｂ）にそのモデルを示す。ミリ波が人体を透過できる深さは数ミリぐらいであるため、耳たぶのような薄い組織しか透過しない。モデル化するために、薄い人体組織は皮膚、脂肪と血液だけで構成されていると仮定する。人体組織の誘電特性は非常に複雑であるため、完全に再現することは不可能である。先行研究では人体組織の誘電特性のモデルを構築した[19]。その特性は以下の数式で表せる[19]。
【数２】
2020179664.tif 000004
ここでΔεｎはΔεｎ＝（εｓｔａｔ−ε∞）ｎ、αｎは分布パラメータ、σｉはイオン導電率、ε０は自由空間の誘電率である。
【００２２】
乾燥した皮膚と湿ってる皮膚の誘電率は異なる。本明細書では、乾燥皮膚の誘電特性を使う。脂肪の誘電特性も先行研究で示されている[19]。血液の扱いは皮膚、脂肪とは異なる。血液のモデルはグルコース濃度に依存する必要がある。別の先行研究はこのようなモデルを構築した[20]。このモデルが適用可能なグルコース濃度範囲は７０から１５０ｍｇ／ｄＬである。モデルは以下の数式で表せる[20]。
【数３】
2020179664.tif 000005
ここでχはグルコース濃度（７０〜１５０ｍｇ／ｄＬ）である。
【００２３】
一般的に、組織の外郭は皮膚、そしてその下に脂肪がある。血液は皮膚と脂肪両方に分布する。耳たぶの平均厚さは５ｍｍから６ｍｍであること。最も外側は皮膚層である。脂肪層は４層、血液層は５層とした。一つの脂肪層の厚さは０．７５ｍｍ、一つの血液層の厚さは０．３２ｍｍ、皮膚層の厚さは０．２ｍｍとした。モデルの総厚さは５ｍｍである。
【００２４】
２．３  プローブ設計
我々の先行研究ではグルコース−水溶液をシャーレの中に入れて実験した[17]。その実験データにはリップルが存在した。その原因は容器による電磁波の共振である。その問題を解決するためには適切なプローブが必要である。我々は導波管の中に誘電体を入れたプローブを提案する。
【００２５】
２．３．１  誘電体材料
人間の皮膚はミリ波を反射する水を含む。反射を軽減するために組織インピーダンスとマッチングする適切な材料が必要である。本明細書では、我々はシリコンを選ぶ。シリコンの比誘電率は１１．９で、乾燥皮膚とよくマッチングする。そのため、シリコンは適切な誘電体である。
【００２６】
２．３．２  ３ポートプローブ
先行研究[8],[17]では透過係数しか使用していない。しかし、問題点は、この透過係数の不安定性にある。不安定なデータは濃度の測定結果に大きな影響がある。本明細書では、この問題を解決すべく、３ポートプローブを提案する。使う周波数範囲は６０ＧＨｚから８０ＧＨｚであるため、導波管のサイズは４ｍｍ×２ｍｍとする。図１（ａ）は３ポートプローブの使用方法の概略図である。ここでは耳たぶにプローブをはさんで計測する。図１（ｂ）にプローブの構造も示す。プローブは送信ポート（Ｐｏｒｔ１）、計測（検出）ポート（Ｐｏｒｔ２）と参照ポート（Ｐｏｒｔ３）によって構成されている。外耳は皮膚層、血液層、脂肪層からなる。すべてのプローブは空気による反射を避けるため、直接皮膚に接触させる。我々の提案するプローブはデータの問題を改善し、測定精度を上げることができる。
【００２７】
２．４  数値解析の結果
数値解析にはＨＦＳＳ（Ａｎｓｙｓ  Ｃｏ．）を使った。数値解析の結果は送信ポートから検出ポートへの透過係数（透過データ）Ｓ２１と送信ポートから参照ポートへの透過係数（参照データ）Ｓ３１を含む。図２と図３にその結果を示す。図２（ａ）、（ｂ）と図３（ａ）、（ｂ）がそれぞれＳ２１、Ｓ３１の振幅と位相のデータを示す。グラフの横軸はミリ波の周波数（単位はＧＨｚ）であり、縦軸は振幅（単位はｄＢ）または位相（単位はｒａｄ）である。位相の差を見るために、Ｓ２１とＳ３１の位相データをアンラップし、そのデータをもとに直線をフィットする。そしてアンラップした位相データと直線の差を取ることにより、Ｓ２１とＳ３１の位相の偏差を得ることができる。図２（ｃ）と図３（ｃ）にＳ２１とＳ３１の位相の偏差を示す。ここでアンラップ（ｕｎｗｒａｐ）とは、位相の値は２πで一周して戻る周期性をもっており、いわば「折りたたまれて（ｗｒａｐされて）」いるが、これを０、２π、４π、６π、…として、この折りたたみを展開することである。
【００２８】
位相の偏差を見ると、グルコース濃度による変化は非単調であることがわかる。すなわち、Ｓ２１特性（検出ポートへの透過特性）、Ｓ３１特性（検出ポートへの透過特性）のいずれの場合も、グルコース濃度を上がるにつれて、測定した周波数帯において位相の偏差は単調には増加していないことがわかる。この非単調的な変化はグルコース濃度の推定に影響があり、不正確なグルコース濃度を推定する恐れがある。しかし、Ｓ２１とＳ３１の位相偏差の差を取ることにより、グルコース濃度の差による変化は単調な変化にすることができる。その結果を図４（ｂ）に示す。位相と同じように、Ｓ２１とＳ３１の振幅の差（比）も取る。その結果を図４（ａ）に示す。振幅の差も単調に並ぶことがわかる。すなわち、Ｓ２１とＳ３１の差分を取れば、グルコース濃度を上がるにつれて、測定した周波数帯において振幅の差も、位相の偏差の差も単調に増加することがわかる。この処理されたデータ（すなわちＳ２１信号（検出ポート信号）からＳ３１信号（参照ポート信号）を差し引くことで補正されたデータ）を使うことによって、より高い精度の濃度推定が得られる。これらの結果は参照ポートはミリ波血糖値測定に有効であることが示された。
【００２９】
２．５  結論
本明細書で、我々はミリ波血糖値測定システムのための３ポートプローブを提案した。数値解析の結果は参照ポートを使う有効性を示した。データ処理の結果、参照ポートを使うことによって、グルコース濃度の差による位相及び振幅の変化を単調に並べることに成功した。このプローブは、さまざまな計測に適応できる。第３ポートを参照ポートとして処理したデータは、グルコース濃度の推定に有効に用いられる。
【００３０】
３．複素ニューラルネットワークの構成
参照ポートをもつ３ポートプローブを用いて参照ポート信号で補正された検出ポート信号を入力データとし、教師データとしてグルコース濃度を与えて複素ニューラルネットワークを学習することにより、より高い精度のグルコース濃度推定を行うことができる。
【００３１】
複素ニューラルネットワーク（Ｃｏｍｐｌｅｘ−ｖａｌｕｅｄ  ｎｅｕｒａｌ  ｎｅｔｗｏｒｋｓ（ＣＶＮＮｓ））は、従来のニューラルネットワークのすべての実数を複素数に置き換えたものであり［２１］、複素領域で汎化能力を有する。ｌ番目の層のｊ番目のニューロンは一つ前の層または入力端子のｉ番目のニューロンから入力を受け取る。重みはｗｌｊｉで定義され、振幅｜ｗｌｊｉ｜と位相θｌｊｉを有する。重み付け和は次式で計算される。
【数４】
2020179664.tif 000006
ここでニューロンｚｌｊの出力は非線形関数ｆａｐにより、次式で計算される。
【数５】
2020179664.tif 000007
【００３２】
複素ニューラルネットワークは、振幅と位相を一つの複素数で表現することができるため、電磁場を処理するアプリケーションに有利である。最適な複素ニューラルネットワークを設計することにより、複素ニューラルネットワークがノイズを減少させ、システムのロバスト性を向上させることができる。
【００３３】
図５は、本発明の実施の形態で使用する複素ニューラルネットワークの構成を示す。本実施の形態では、図５に示すように、入力端子、一つの隠れ層、単一出力ニューロンの複素ニューラルネットワークの構成を用いる。単一出力ニューロンを用いるのは、連続する濃度変化を表現するのに適しているからである。先行研究[17]では、図５の複素ニューラルネットワークの入力信号としてＳ２１信号（検出ポート信号）を与えたが、本発明の実施の形態では、Ｓ２１信号（検出ポート信号）をＳ３１信号（参照ポート信号）で補正した補正信号を入力データとして与えることに留意する。入力端子には、ミリ波の周波数ω１、ω２、…、ωＩのＳ２１の補正信号を前処理した信号を与える。前処理については先行研究[17]に示された処理を用いる。
【００３４】
図６は、図５の単一出力ニューロンの複素ニューラルネットワークに与える教師信号を示す。図６に示すように、教師信号は複素平面で０〜πの範囲の角度を有する単位ベクトルであり、０ｍｇ／ｄＬ〜３００ｍｇ／ｄＬの範囲の濃度が０〜πまでの角度にマップされている。
【００３５】
上述のように我々の先行研究[17]では参照ポートがない２ポートプローブを前提として複素ニューラルネットワークの入力にＳ２１を与えたが、本発明の実施の形態では３ポートプローブを使用して複素ニューラルネットワークの入力にＳ２１とＳ３１の差分を与える点が異なるが、複素ニューラルネットワークの学習方法は先行研究[17]と同じであるから、学習方法および学習結果については文献[17]を参照することとし、ここでは説明を省略する。本発明の実施の形態では、Ｓ２１とＳ３１の差分を入力信号とすることで、入力信号から反射の影響を除去することができ、反射による悪影響を減らして、濃度測定の精度を向上させることができる。これは、Ｓ２１信号とＳ３１信号の間で反射による影響は同じであるため、Ｓ２１とＳ３１の差分を取ることで反射成分が除去される一方、人体の血液中のグルコース濃度に関する成分は残るからである。
【００３６】
４．誘電体材料の構成
反射を軽減するために人体の組織インピーダンスとマッチングする誘電体材料を導波管に充填することが望ましい。適切な誘電体材料として、乾燥皮膚に近い比誘電率をもつシリコンが候補の一つとして考えられるが、これ以外にも乾燥皮膚に近い比誘電率をもつものであれば任意の誘電体材料を利用することができる。
【００３７】
図７は、導波管に充填されるシリコンのテーパ構造を示す。発信器を用いて導波管にミリ波を入力する際、シリコンと空気の境界でも反射が起きるため、この反射を軽減するために、図７に示すように、シリコンにテーパ構造をもたせ、徐々に空気からシリコンへ誘電率が変わるようにする。これにより、シリコンと空気の境界での反射を軽減することができる。
【００３８】
図８（ａ）、図８（ｂ）は、シリコンを充填していないプローブで測定された検出ポート信号（Ｓ２１信号）の振幅の移動平均、アンラップされた位相を示す。ここでは参照ポートがない２ポートプローブを用いた実験結果を示している。食事直後、食後３０分後、食後１時間後に測定された結果を示す。図８（ａ）に示されるように振幅は食後３０分後と食後１時間後でほとんど差がなく、図８（ｂ）に示されるように位相は食事直後、食後３０分後、食後１時間後の間でほとんど差がないことがわかる。
【００３９】
図９（ａ）、図９（ｂ）は、シリコンを充填したプローブで測定された検出ポート信号（Ｓ２１信号）の振幅の移動平均、アンラップされた位相を示す。参照ポートがない２ポートプローブを用いて、食後３０分後、食後１時間後に測定された結果を示す。図９（ａ）に示されるように振幅は食後３０分後と食後１時間後で有意の差があり、図９（ｂ）に示されるように位相は食後３０分後、食後１時間後で有意の差があることがわかる。このようにシリコンを充填した導波管を用いることにより、反射の影響を排除して、本来検出されるべきグルコース濃度の違いをより高い精度で検出することができるようになる。
【００４０】
図１０は、血糖値測定システムの構成図である。血糖値測定システムは、３ポートプローブ１０と血糖値測定装置１００を備える。
【００４１】
３ポートプローブ１０は、上述のように送信ポート、検出ポート、参照ポートを備える。ミリ波の周波数を所定の周波数帯域で変化させながらミリ波を送信ポートに入力し、検出ポートと参照ポートから出力信号を取得する。検出ポートで測定された信号Ｓ２１は検出ポート信号入力部２０に供給され、参照ポートで測定された信号Ｓ３１は参照ポート信号入力部３０に供給される。
【００４２】
検出ポート信号入力部２０は、各周波数の検出ポート信号を補正部４０に与える。
【００４３】
参照ポート信号入力部３０は、各周波数の参照ポート信号を補正部４０に与える。
【００４４】
補正部４０は、検出ポート信号の振幅と参照ポート信号の差分を計算することにより補正信号を生成し、前処理部５０に与える。
【００４５】
前処理部５０は、補正信号を複素ニューラルネットワーク６０の入力データの形式に調整して、複素ニューラルネットワーク６０の入力端子に与える。
【００４６】
複素ニューラルネットワーク６０は、あらかじめ教師データ記憶部７０に格納された教師データによって学習された重みを有する。教師データは図６で説明したように、複素平面の０〜πの範囲の角度を有する単位ベクトルであり、０〜πまでの角度が０ｍｇ／ｄＬ〜３００ｍｇ／ｄＬの範囲の濃度に対応している。
【００４７】
複素ニューラルネットワーク６０は、学習済みの重みを用いて入力データから隠れ層の出力を計算し、隠れ層の出力の重み付け和によって出力データを出力し、グルコース濃度出力部８０に与える。出力データは０〜πの範囲の角度である。
【００４８】
グルコース濃度出力部８０は、出力データをグルコース濃度に変換して出力する。０〜πの範囲の角度を示す出力データは、０ｍｇ／ｄＬ〜３００ｍｇ／ｄＬの範囲のグルコース濃度にマッピングされて出力される。
【００４９】
図１１は、血糖値測定手順を示すフローチャートである。
【００５０】
ミリ波の周波数を替えながら３ポートプローブの検出ポート信号を取得する（Ｓ１０）と同時に、参照ポート信号を取得する（Ｓ２０）。
【００５１】
各周波数における検出ポート信号と参照ポートの差分を計算することにより補正信号を生成する（Ｓ３０）。
【００５２】
各周波数における補正信号を前処理して複素ニューラルネットワークへの入力データを生成する（Ｓ４０）。
【００５３】
学習済みの重みをもつ複素ニューラルネットワークにより入力データを出力データに変換する（Ｓ５０）。
【００５４】
複素ニューラルネットワークの出力データをグルコース濃度に変換して出力する（Ｓ６０）。
【００５５】
本発明の実施の形態に係る血糖値測定システムでは、参照ポートを設けた３ポートプローブの構成を用いて検出信号を参照信号で補正することにより、キャリブレーションを行って透過波の振幅と位相をグルコース濃度に対して単調に並べることができる。また、プローブの導波管内部にシリコンなどの誘電体材料を充填することにより、グルコース濃度の違いに対して透過波の振幅と位相が顕著に差が出るようにすることができる。また、複素ニューラルネットワークを用いて学習することにより、透過波の振幅と位相からグルコース濃度を適応的に推定することができる。これらの手段により、ミリ波を用いたグルコース濃度の推定精度を一層高めることができる。
【００５６】
以上述べたように、反射の影響を排除する方法として、参照ポートを設けた３ポートプローブを用いることと、導波管の内部をシリコンなどの誘電体材料を充填することの二つの手段が有効である。プローブを装着する人体の箇所によっては、参照ポートを設けて３ポートにすることができないこともある。その場合は、シリコンなどの誘電体材料を導波管内部に充填する手段を用いることができる。また、参照ポートを設けて３ポートプローブの構成にすることと、導波管内部に誘電体材料を充填することの両方の手段を実装することにより、両者の効果を合わせて測定精度をさらに向上させることができる。
【００５７】
参照文献
[1] C.-F. So, et al., "Recent advances in noninvasive glucose monitoring," Medical Devices, vol.5, pp.45.52, 2012.
[2] T. Karacolak, et al., "Cole.cole model for glucose-dependent dielectric properties of blood plasma for continuous glucose monitoring," Microwave and Optical Technology Letters, vol.55, no.5, pp.1160.1164, 2013.
[3] V. Meriakri, et al., "Dielectric properties of glucose solutions in the millimeter-wave range and a problem of glucose content in blood control," Microwave & Telecommunication Technology, 2005 15th International Crimean Conference, vol.2IEEE, pp.853.854 2005.
[4] V. Meriakri, et al., "Dielectric properties of water solutions with small content of glucose in the millimeter-wave band and the determination of glucose in blood," Physics and Engineering of Microwaves, Millimeter and Submillimeter Waves (MSMW) and Workshop on Terahertz Technologies, vol.2IEEE, pp.873.875 2007.
[5] D.V. Blackham and R.D. Pollard, "An improved technique for permittivity measurements using a coaxial probe," IEEE Transactions on Instrumentation and Measurement, vol.46, no.5, pp.1093.1099, 1997.
[6] M. Hofmann, et al., "A microwave sensing system for aqueous concentratrion measurements based on a microwave reflectometer," IEEE MTT-S, pp.1.3, 2012.
[7] Y. Nikawa and D. Someya, "Application of millimeter waves to measure blood sugar level," Asia-Pacific Microwave Conference, vol.3IEEE, pp.1303.1306 2001.
[8] S. Saha, et al., "A glucose sensing system based on transmission measurements at millimetre waves using micro strip patch antennas," Scientific Reports, vol.7, no.1, p.6855, 2017.
[9] H. Cano-Garcia, et al., "Reflection and transmission measurements using 60 GHz patch antennas in the presence of animal tissue for non-invasive glucose sensing," European Conference on Antennas and Propagation (EuCAP)IEEE, pp.1.3 2016.
[10] H. Cano-Garcia, et al., "Detection of glucose variability in saline solutions from transmission and reflection measurements using V-band waveguides," Measurement Science and Technology, vol.26, no.12, p.125701, 2015.
[11] Y. Nikawa and T. Michiyama, "Blood-sugar monitoring by reflection of millimeter wave," Asia-Pacific Microwave Conference (APMC)IEEE, pp.1.4 2007.
[12] Y. Nikawa and S. Nakamura, "Microwave application in medical sensing," International Symposium onMedical Information and Communication Technology (ISMICT)IEEE, pp.131.133 2015.
[13] T. Kurabayashi, et al., "Reflection spectroscopy on solutions of biological materials in millimeter wave frequency," International Conference on Infrared, Millimeter, and Terahertzwaves (IRMMW-THz), 2015IEEE, pp.1.2 2015.
[14] P.H. Siegel, et al., "Compact non-invasive millimeter-wave glucose sensor," Infrared, Millimeter, and Terahertz waves (IRMMW-THz), 2015 40th International Conference onIEEE, pp.1.3 2015.
[15] P.H. Siegel, et al., "Millimeter-wave non-invasive monitoring of glucose in anesthetized rats," International Conference on Infrared, Millimeter, and Terahertz waves (IRMMW-THz)IEEE, pp.1.2 2014.
[16] S. Hu and A. Hirose, "Proposal of millimeter-wave adaptive glucose-concentration estimation system using complex-valued neural networks,"IGARSS 2018 - 2018 IEEE International Geoscience and Remote Sensing Symposium, pp.4074.4077, 07 2018.
[17] S. Hu, S. Nagae, and A. Hirose, "Millimeter-wave adaptive glucose concentration estimation with complex-valued neural networks," IEEE Transactions on Biomedical Engineering, vol. 66, no. 7, pp 2065-2071, July 2019.
[18] M. Hofmann, et al., "Non-invasive glucose monitoring using open electromagnetic waveguides," European Microwave Conference (EuMC)IEEE, pp.546.549 2012.
[19] S. Gabriel, R.W. Lau, and C. Gabriel, "The dielectric properties of biological tissues: III. parametric models for the dielectric spectrum of tissues," Physics in Medicine and Biology, vol.41, pp.2271.2293, Nov. 1996.
[20] B. Freer, "Feasibility of a non-invasive wireless blood glucose monitor," Master’s thesis, Rochester Institute of Technology, 2011. https://scholarworks.rit.edu/theses/7149
[21] A. Hirose, Complex-valued neural networks. Springer Science & Business Media, 2006.
【産業上の利用可能性】
【００５８】
本発明は、血糖値測定に利用できる。
【符号の説明】
【００５９】
１０  ３ポートプローブ、  ２０  検出ポート信号入力部、  ３０  参照ポート信号入力部、  ４０  補正部、  ５０  前処理部、  ６０  複素ニューラルネットワーク、  ７０  教師データ記憶部、  ８０  グルコース濃度出力部、  １００  血糖値測定装置。
【図１】
2020179664.tif 000008
【図２】
2020179664.tif 000009
【図３】
2020179664.tif 000010
【図４】
2020179664.tif 000011
【図５】
2020179664.tif 000012
【図６】
2020179664.tif 000013
【図７】
2020179664.tif 000014
【図８】
2020179664.tif 000015
【図９】
2020179664.tif 000016
【図１０】
2020179664.tif 000017
【図１１】
2020179664.tif 000018
【国際調査報告】
2020179664.tif 000019
2020179664.tif 000020
2020179664.tif 000021